(57)【要約】【課題】複数の無線端末装置間において契約認証情報を容易に共有する。【解決手段】通信システム１００は、第１の無線端末装置３００および第２の無線端末装置４００により構成される。第１の無線端末装置３００は、第２の無線端末装置４００に保持されているＵＳＩＭ情報の使用権の移転を要求する移転要求を指示する指示操作が受け付けられた場合に、その移転要求を無線回線を介して送信させる。第２の無線端末装置４００は、その移転要求を無線回線を介して受信すると、保持されているＵＳＩＭ情報を無効とし、ＵＳＩＭ情報の使用権を移転させるための移転情報を無線回線を介して送信させる。第１の無線端末装置３００は、その移転情報を無線回線を介して受信すると、この受信された移転情報に基づいて有効なＵＳＩＭ情報を設定する。【選択図】図２
2012105077.tif 000002
【特許請求の範囲】
【請求項１】
所定操作が受け付けられた場合に他の無線端末装置である第２の無線端末装置に保持されている情報であって無線接続サービスを提供する無線事業者に係る契約認証情報の使用権の移転を要求する移転要求を無線回線を介して送信させる送信制御部と、
前記移転要求に応じて無線回線を介して送信される情報であって前記使用権を移転させるための移転情報を受信する受信部と、
前記受信された移転情報に基づいて有効な契約認証情報を設定する制御部と
を具備する無線端末装置。
【請求項２】
前記移転情報には、保持部に保持されている契約認証情報を有効とするための有効化情報が含まれ、
前記制御部は、前記受信された移転情報に含まれる有効化情報に基づいて前記保持部に保持されている契約認証情報を有効とすることにより前記有効な契約認証情報を設定する
請求項１記載の無線端末装置。
【請求項３】
前記送信制御部は、前記無線端末装置および前記第２の無線端末装置のそれぞれに保持される契約認証情報を管理するデータベースを備えるネットワーク制御装置に前記移転要求を送信し、
前記制御部は、前記データベースの管理内容に基づいて前記ネットワーク制御装置から送信される前記移転情報に基づいて前記有効な契約認証情報を設定する
請求項２記載の無線端末装置。
【請求項４】
前記ネットワーク制御装置は、前記移転要求に応じて前記移転情報を前記無線端末装置に送信することにより前記保持部に保持されている契約認証情報を有効とする制御を行い、かつ、前記第２の無線端末装置に保持されている契約認証情報を無効とする制御を行い、
前記制御部は、前記ネットワーク制御装置による制御に基づいて前記有効な契約認証情報を設定する
請求項３記載の無線端末装置。
【請求項５】
前記移転情報には、前記第２の無線端末装置に保持されていた契約認証情報が含まれ、
前記送信制御部は、前記移転要求を前記第２の無線端末装置に送信し、
前記制御部は、前記受信された移転情報に含まれる契約認証情報を保持部に保持させることにより前記有効な契約認証情報を設定する
請求項１記載の無線端末装置。
【請求項６】
前記受信部は、前記第２の無線端末装置に保持されている前記契約認証情報を無効とした後に前記第２の無線端末装置から送信される前記移転情報を受信する請求項１記載の無線端末装置。
【請求項７】
前記送信制御部は、前記無線事業者に係る契約認証情報を用いずに限定的な接続のみを行うための限定接続により前記移転要求を無線回線を介して送信させる請求項１記載の無線端末装置。
【請求項８】
前記所定操作は、前記移転要求を指示するユーザによる指示操作である請求項１記載の無線端末装置。
【請求項９】
保持部に保持されている情報であって無線接続サービスを提供する無線事業者に係る契約認証情報の使用権の移転を要求する移転要求を他の無線端末装置である第１の無線端末装置から無線回線を介して受信する受信部と、
前記移転要求が受信された場合には前記使用権を移転させるための移転情報を無線回線を介して送信させる制御部と
を具備する無線端末装置。
【請求項１０】
前記制御部は、前記移転要求が受信された場合にはユーザに前記使用権の移転を確認させるための確認画面を表示部に表示させ、前記確認画面が表示された後に前記使用権の移転を許可する操作入力が受け付けられた場合には前記移転情報を無線回線を介して送信させる請求項９記載の無線端末装置。
【請求項１１】
所定操作が受け付けられた場合に第２の無線端末装置に保持されている情報であって無線接続サービスを提供する無線事業者に係る契約認証情報の使用権の移転を要求する移転要求を無線回線を介して送信させる送信制御部と、前記移転要求に応じて無線回線を介して送信される情報であって前記使用権を移転させるための移転情報を受信する受信部と、前記受信された移転情報に基づいて有効な契約認証情報を設定する制御部とを備える第１の無線端末装置と、
前記移転要求を前記第１の無線端末装置から無線回線を介して受信する受信部と、前記移転要求が受信された場合には前記移転情報を無線回線を介して送信させる制御部とを備える第２の無線端末装置と
を具備する通信システム。
【請求項１２】
所定操作が受け付けられた場合に他の無線端末装置である第２の無線端末装置に保持されている情報であって無線接続サービスを提供する無線事業者に係る契約認証情報の使用権の移転を要求する移転要求を無線回線を介して送信させる送信制御手順と、
前記移転要求に応じて無線回線を介して送信される情報であって前記使用権を移転させるための移転情報を受信する受信手順と、
前記受信された移転情報に基づいて有効な契約認証情報を設定する制御手順と
を具備する無線端末装置の制御方法。
【発明の詳細な説明】
【技術分野】
【０００１】
本発明は、無線端末装置に関し、特に、公衆無線網に接続する無線端末装置、無線端末装置を備える通信システムおよび無線端末装置の制御方法に関する。
【背景技術】
【０００２】
従来、公衆無線網に接続する無線端末装置が広く普及している。例えば、携帯型の無線端末装置として、携帯電話装置やデータ通信専用端末装置等の無線端末装置が知られている。また、固定型の無線端末装置として、自動販売機のデータ収集を目的とする無線端末装置が知られている。
【０００３】
また、近年では、無線端末装置に無線接続サービスを提供する無線事業者として、国や地域毎に数多くの無線事業者が存在している。
【０００４】
ここで、無線端末装置が公衆無線網に接続するためには、無線接続サービスを提供する無線事業者が発行するカード（契約認証情報を保持するカード（いわゆる、ＵＩＣＣカード））を無線端末装置に取り付ける必要がある。また、このように無線端末装置に取り付けられるカード（ＵＩＣＣカード）を他の情報を記憶するために用いる技術が提案されている。
【０００５】
例えば、加入者情報を取り扱うＵＳＩＭ機能とともに、電子マネー等を取り扱うクレジット機能や大容量のメモリカード機能をＵＩＣＣカードに付加する通信システムが提案されている（例えば、特許文献１参照。）。
【先行技術文献】
【特許文献】
【０００６】
【特許文献１】特開２００８−２１０３０１号公報
【発明の概要】
【発明が解決しようとする課題】
【０００７】
上述の従来技術では、ＵＳＩＭ機能とともにクレジット機能や大容量のメモリカード機能がＵＩＣＣカードに付加されているため、無線端末装置に関わる種々のサービスをＵＩＣＣカード上に一体化することができる。
【０００８】
ここで、上述の従来技術では、無線端末装置が無線接続サービスを受ける場合には、特定の場合（緊急の場合等）を除き、その無線端末装置に取り付けられているＵＩＣＣカードを発行した無線事業者を介した無線接続サービスしか受けることができない。
【０００９】
また、近年では、個人で複数の無線端末装置を所有するユーザが増えつつある。このように個人で複数の無線端末装置を所有するユーザが各無線端末装置を使用する場合には、使用対象となる無線端末装置のそれぞれにＵＩＣＣカードを取り付けることが考えられる。または、１つのＵＩＣＣカードを複数の無線端末装置で共有することが考えられる。
【００１０】
しかしながら、使用対象となる無線端末装置のそれぞれにＵＩＣＣカードを取り付ける場合には、ＵＩＣＣカードの増加分だけ無線接続サービスに係る費用負担が増加する。また、１つのＵＩＣＣカードを複数の無線端末装置で共有する場合には、使用対象となる無線端末装置を変更する度に、無線端末装置間においてＵＩＣＣカードを付け替える必要がある。この場合には、その付け替え作業が煩雑となる。また、１つのＵＩＣＣカードを複数の無線端末装置で共有する場合において、ＵＩＣＣカードが取り付けられている無線端末装置がユーザの傍らに存在しないことも想定される。この場合には、使用対象となる無線端末装置を変更することができず、所望の機能を使用することができないおそれがある。
【００１１】
本発明はこのような状況に鑑みてなされたものであり、複数の無線端末装置間において契約認証情報を容易に共有することを目的とする。
【課題を解決するための手段】
【００１２】
本発明は、上記課題を解決するためになされたものであり、その第１の側面は、所定操作が受け付けられた場合に他の無線端末装置である第２の無線端末装置に保持されている情報であって無線接続サービスを提供する無線事業者に係る契約認証情報の使用権の移転を要求する移転要求を無線回線を介して送信させる送信制御部と、上記移転要求に応じて無線回線を介して送信される情報であって上記使用権を移転させるための移転情報を受信する受信部と、上記受信された移転情報に基づいて有効な契約認証情報を設定する制御部とを具備する無線端末装置およびその制御方法ならびに当該方法をコンピュータに実行させるプログラムである。これにより、所定操作が受け付けられた場合に移転要求を無線回線を介して送信させ、この移転要求に応じて無線回線を介して移転情報を受信すると、この受信された移転情報に基づいて有効な契約認証情報を設定するという作用をもたらす。
【００１３】
また、この第１の側面において、上記移転情報には、保持部に保持されている契約認証情報を有効とするための有効化情報が含まれ、上記制御部は、上記受信された移転情報に含まれる有効化情報に基づいて上記保持部に保持されている契約認証情報を有効とすることにより上記有効な契約認証情報を設定するようにしてもよい。これにより、受信された移転情報に含まれる有効化情報に基づいて、保持部に保持されている契約認証情報を有効とすることにより、有効な契約認証情報を設定するという作用をもたらす。
【００１４】
また、この第１の側面において、上記送信制御部は、上記無線端末装置および上記第２の無線端末装置のそれぞれに保持される契約認証情報を管理するデータベースを備えるネットワーク制御装置に上記移転要求を送信し、上記制御部は、上記データベースの管理内容に基づいて上記ネットワーク制御装置から送信される上記移転情報に基づいて上記有効な契約認証情報を設定するようにしてもよい。これにより、ネットワーク制御装置に移転要求を送信し、ネットワーク制御装置から送信される移転情報に基づいて有効な契約認証情報を設定するという作用をもたらす。
【００１５】
また、この第１の側面において、上記ネットワーク制御装置は、上記移転要求に応じて上記移転情報を上記無線端末装置に送信することにより上記保持部に保持されている契約認証情報を有効とする制御を行い、かつ、上記第２の無線端末装置に保持されている契約認証情報を無効とする制御を行い、上記制御部は、上記ネットワーク制御装置による制御に基づいて上記有効な契約認証情報を設定するようにしてもよい。これにより、ネットワーク制御装置による制御に基づいて有効な契約認証情報を設定するという作用をもたらす。
【００１６】
また、この第１の側面において、上記移転情報には、上記第２の無線端末装置に保持されていた契約認証情報が含まれ、上記送信制御部は、上記移転要求を上記第２の無線端末装置に送信し、上記制御部は、上記受信された移転情報に含まれる契約認証情報を保持部に保持させることにより上記有効な契約認証情報を設定するようにしてもよい。これにより、移転要求を第２の無線端末装置に送信し、受信された移転情報に含まれる契約認証情報を保持部に保持させることにより有効な契約認証情報を設定するという作用をもたらす。
【００１７】
また、この第１の側面において、上記受信部は、上記第２の無線端末装置に保持されている上記契約認証情報を無効とした後に上記第２の無線端末装置から送信される上記移転情報を受信するようにしてもよい。これにより、第２の無線端末装置に保持されている契約認証情報を無効とした後に第２の無線端末装置から送信される移転情報を受信するという作用をもたらす。
【００１８】
また、この第１の側面において、上記送信制御部は、上記無線事業者に係る契約認証情報を用いずに限定的な接続のみを行うための限定接続により上記移転要求を無線回線を介して送信させるようにしてもよい。これにより、無線事業者に係る契約認証情報を用いずに限定的な接続のみを行うための限定接続により移転要求を無線回線を介して送信させるという作用をもたらす。
【００１９】
また、この第１の側面において、上記所定操作を、上記移転要求を指示するユーザによる指示操作とするようにしてもよい。これにより、移転要求を指示するユーザによる指示操作が受け付けられた場合に移転要求を無線回線を介して送信させるという作用をもたらす。
【００２０】
また、本発明の第２の側面は、保持部に保持されている情報であって無線接続サービスを提供する無線事業者に係る契約認証情報の使用権の移転を要求する移転要求を他の無線端末装置である第１の無線端末装置から無線回線を介して受信する受信部と、上記移転要求が受信された場合には上記使用権を移転させるための移転情報を無線回線を介して送信させる制御部とを具備する無線端末装置およびその制御方法ならびに当該方法をコンピュータに実行させるプログラムである。これにより、移転要求を第１の無線端末装置から無線回線を介して受信すると、移転情報を無線回線を介して送信させるという作用をもたらす。
【００２１】
また、この第２の側面において、上記制御部は、上記移転要求が受信された場合にはユーザに上記使用権の移転を確認させるための確認画面を表示部に表示させ、上記確認画面が表示された後に上記使用権の移転を許可する操作入力が受け付けられた場合には上記移転情報を無線回線を介して送信させるようにしてもよい。これにより、移転要求が受信された場合には確認画面を表示させ、この確認画面が表示された後に契約認証情報の使用権の移転を許可する操作入力が受け付けられた場合には移転情報を無線回線を介して送信させるという作用をもたらす。
【００２２】
また、本発明の第３の側面は、所定操作が受け付けられた場合に第２の無線端末装置に保持されている情報であって無線接続サービスを提供する無線事業者に係る契約認証情報の使用権の移転を要求する移転要求を無線回線を介して送信させる送信制御部と、上記移転要求に応じて無線回線を介して送信される情報であって上記使用権を移転させるための移転情報を受信する受信部と、上記受信された移転情報に基づいて有効な契約認証情報を設定する制御部とを備える第１の無線端末装置と、上記移転要求を上記第１の無線端末装置から無線回線を介して受信する受信部と、上記移転要求が受信された場合には上記移転情報を無線回線を介して送信させる制御部とを備える第２の無線端末装置とを具備する通信システムおよびその制御方法ならびに当該方法をコンピュータに実行させるプログラムである。これにより、第１の無線端末装置は、所定操作が受け付けられた場合に移転要求を無線回線を介して送信させ、この移転要求に応じて無線回線を介して移転情報を受信すると、この受信された移転情報に基づいて有効な契約認証情報を設定し、第２の無線端末装置は、移転要求を第１の無線端末装置から無線回線を介して受信すると、移転情報を無線回線を介して送信させるという作用をもたらす。
【発明の効果】
【００２３】
本発明によれば、複数の無線端末装置間において契約認証情報を容易に共有することができるという優れた効果を奏し得る。
【図面の簡単な説明】
【００２４】
【図１】本発明の第１の実施の形態における複数の無線端末装置の使用例を簡略化して示す図である。
【図２】本発明の第１の実施の形態における通信システム１００のシステム構成例を示すブロック図である。
【図３】本発明の第１の実施の形態における無線端末装置による通信処理の処理手順の一例を示すフローチャートである。
【図４】本発明の第１の実施の形態における無線端末装置管理データベース２２０を模式的に示す図である。
【図５】本発明の第１の実施の形態における第１の無線端末装置３００の内部構成例を示すブロック図である。
【図６】本発明の第１の実施の形態における第１の無線端末装置３００および第２の無線端末装置４００に表示される表示画面例を示す図である。
【図７】本発明の第１の実施の形態における第１の無線端末装置３００および第２の無線端末装置４００に表示される表示画面例を示す図である。
【図８】本発明の第１の実施の形態における第１の無線端末装置３００および第２の無線端末装置４００に表示される表示画面例を示す図である。
【図９】本発明の第１の実施の形態における第１の無線端末装置３００による通信処理の処理手順の一例を示すフローチャートである。
【図１０】本発明の第１の実施の形態における第２の無線端末装置４００による通信処理の処理手順の一例を示すフローチャートである。
【図１１】本発明の第１の実施の形態における無線端末装置管理データベース２２０を模式的に示す図である。
【図１２】本発明の第２の実施の形態における通信システム１００を構成する各装置間における通信処理を示すシーケンスチャートである。
【発明を実施するための形態】
【００２５】
以下、本発明を実施するための形態（以下、実施の形態と称する）について説明する。説明は以下の順序により行う。
１．第１の実施の形態（ＵＳＩＭ（Universal Subscriber Identity Module）情報移転制御：近距離に存在する複数の無線端末装置間においてＵＳＩＭ情報を共有する例）
２．第２の実施の形態（ＵＳＩＭ情報移転制御：遠距離に存在する複数の無線端末装置間においてＵＳＩＭ情報を共有する例）
【００２６】
＜１．第１の実施の形態＞
［無線端末装置の使用例］
図１は、本発明の第１の実施の形態における複数の無線端末装置の使用例を簡略化して示す図である。
【００２７】
図１（ａ）には、複数の無線端末装置（第１の無線端末装置３００および第２の無線端末装置４００）を１人のユーザ１０が手に持って使用している状態を示す。図１（ｂ）には、１つの無線端末装置（第１の無線端末装置３００）を１人のユーザ１０が手に持って使用し、比較的離れている場所（矢印３０で示す距離だけ離れている）に他の無線端末装置（第２の無線端末装置４００）が置かれている状態を示す。例えば、第２の無線端末装置４００を家２０に忘れたユーザ１０が、職場で第１の無線端末装置３００を使用している場合が想定される。
【００２８】
［通信システムの構成例］
図２は、本発明の第１の実施の形態における通信システム１００のシステム構成例を示すブロック図である。
【００２９】
通信システム１００は、公衆回線網１１０と、移動体通信交換局１２０と、ネットワーク制御装置２００と、基地局２３０、２４０と、第１の無線端末装置３００と、第２の無線端末装置４００とを備える。
【００３０】
公衆回線網１１０は、電話網、インターネット等の公衆回線網である。
【００３１】
移動体通信交換局１２０は、固定網（公衆回線網１１０）と、移動通信網とのインターフェース（ＭＳＣ（Mobile-services Switching Center））である。
【００３２】
基地局２３０、２４０は、第１の無線端末装置３００、第２の無線端末装置４００と、ネットワーク制御装置２００とを無線回線２５０、２６０を介して接続する移動体通信基地局（ＮｏｄｅＢ）である。
【００３３】
例えば、通信システム１００において、第１の無線端末装置３００は、無線回線２５０を介して基地局２３０と接続され、基地局２３０を介してネットワーク制御装置２００と接続される。同様に、第２の無線端末装置４００は、無線回線２６０を介して基地局２４０と接続され、基地局２４０を介してネットワーク制御装置２００と接続される。なお、第１の無線端末装置３００および第２の無線端末装置４００のそれぞれは、使用されている位置に応じて、基地局２３０および２４０の何れについても接続が可能である。
【００３４】
ネットワーク制御装置２００は、無線接続サービスを提供する無線事業者により管理される通信制御装置であり、認証制御部２１０および無線端末装置管理データベース２２０を備える。
【００３５】
認証制御部２１０は、基地局２３０、２４０を介して接続される無線端末装置の認証制御を行うものである。ここで、認証制御部２１０は、基地局２３０、２４０を介して接続される無線端末装置のうち、特定の場合を除き、有効なＵＳＩＭ情報（契約認証情報）を保持する無線端末装置のみを認証する。ここで、ＵＳＩＭ情報は、契約認証情報の一例であり、契約認証情報は、電話の加入者（Subscriber）情報と、認証鍵（Authentication）の情報とを含む情報である。なお、特定の場合については、図３を参照して詳細に説明する。また、ネットワーク制御装置２００は、認証された無線端末装置を移動体通信交換局１２０を介して公衆回線網１１０に接続する。
【００３６】
無線端末装置管理データベース２２０は、無線接続サービスを提供する無線事業者が１または複数の無線端末装置を管理するためのデータベースである。なお、無線端末装置管理データベース２２０については、図４等を参照して詳細に説明する。
【００３７】
［ＵＳＩＭ情報移転要求時における接続例］
ここで、有効なＵＳＩＭ情報を保持していない無線端末装置が公衆回線網１１０に接続するための接続方法について説明する。
【００３８】
現在、一般の携帯電話装置では、ＵＳＩＭ情報が保持されていない場合（すなわち、ＵＩＣＣカードが取り付けられていない場合）でも、緊急用途（Emergency Call）での接続が可能である。この緊急用途は、例えば、警察や消防署等に発呼する場合である。
【００３９】
例えば、ＵＳＩＭ情報が保持されていない状態で、かつ、通話も行っていない状態の携帯電話装置を想定する。この携帯電話装置は、無線事業者を特定せずに受け入れ可能な任意の基地局（例えば、電波強度の高い基地局）を選択した状態（Idle modeの中のCamped on Any Cell Mode）となっている。この状態では、予め登録されている緊急呼の電話番号（緊急呼番号）がユーザにより入力された場合にのみ、携帯電話装置が、緊急呼の発信としてＥＭＥＲＧＥＮＣＹ  ＳＥＴＵＰ信号を、移動体通信基地局およびＲＮＣを介してＭＳＣに送信する。これにより、携帯電話装置は、アイドルモード（Idle Mode）を抜けて、接続モード（Connected Mode）となり、通話が可能な状態となる。
【００４０】
本発明の第１の実施の形態では、上述した接続方法を拡張することにより、ＵＳＩＭ情報（ＵＳＩＭ情報の使用権）の移転要求を行うための一時的なネットワークへ（公衆回線網１１０）のアクセスを可能とする。
【００４１】
例えば、ＵＳＩＭ情報の移転要求を行うための専用の電話番号をユーザがかけることによって一時的なネットワークへのアクセスを行うことができる。また、メニュー画面（例えば、図６（ａ）に示す表示画面５００）や装置の側面に設けられている操作部材（ボタン等）を用いたユーザ操作が行われた場合にその専用の電話番号が発信されて一時的なネットワークへのアクセスが行われるようにすることができる。
【００４２】
このネットワークへのアクセスには、移動体通信システムの標準化規格３ＧＰＰに規定されるランダムアクセス処理が利用される。例えば、ランダムアクセスには優先度（Access Category）を設定することが可能であり、ＵＳＩＭ情報の移転要求用に優先度（Access Category）を設定することができる。これにより、緊急用途(Emergency Call)とは異なる優先度（Access Category）を設定することができる。
【００４３】
例えば、無線端末装置（要求元の無線端末装置）が、ＵＳＩＭ情報の移転要求用の優先度（Access Category）でのアクセスを行った場合には、要求元の無線端末装置に対して限定的なネットワーク接続が提供される。そして、要求元の無線端末装置に対する限定接続の許可後には、ＵＳＩＭ情報の移転要求先の無線端末装置（要求先の無線端末装置）からの情報（ＵＳＩＭ情報の移転要求に係る情報）が、要求元の無線端末装置に通知される。
【００４４】
このように、有効なＵＳＩＭ情報を保持しない要求元の無線端末装置が、限定接続によりネットワークと接続した場合には、ネットワークは、要求元の無線端末装置との限定接続を維持する。この限定接続の維持とともに、ネットワークは、要求先の無線端末装置への通常接続を確保し、ＵＳＩＭ情報の移転要求に係る情報の通信が可能となる。
【００４５】
図３は、本発明の第１の実施の形態における無線端末装置による通信処理の処理手順の一例を示すフローチャートである。この例では、有効なＵＳＩＭ情報を保持していない無線端末装置において発呼操作により限定接続を行う場合を例にして説明する。また、その限定接続を行うために、無線端末装置にＵＳＩＭ情報要求呼番号を登録しておき、その限定接続を行う際にはそのＵＳＩＭ情報要求呼番号を用いる例を示す。
【００４６】
最初に、発呼操作が行われたか否かが判断され（ステップＳ９０１）、発呼操作が行われていない場合には、監視を継続して行う。
【００４７】
発呼操作が行われた場合には（ステップＳ９０１）、その発呼操作により入力された番号が、無線端末装置に登録されている緊急呼番号と一致するか否かが判断される（ステップＳ９０２）。その発呼操作により入力された番号が、緊急呼番号と一致する場合には（ステップＳ９０２）、ＥＭＥＲＧＥＮＣＹ  ＳＥＴＵＰ信号を含む発呼が行われる（ステップＳ９０３）。これにより、無線端末装置は、アイドルモード（Idle Mode）を抜けて、接続モード（Connected Mode）となり、通話が可能な状態となる。
【００４８】
一方、その発呼操作により入力された番号が、緊急呼番号と一致しない場合には（ステップＳ９０２）、その発呼操作により入力された番号が、無線端末装置に登録されているＵＳＩＭ情報要求呼番号と一致するか否かが判断される（ステップＳ９０４）。その発呼操作により入力された番号が、ＵＳＩＭ情報要求呼番号と一致する場合には（ステップＳ９０４）、ＵＳＩＭ情報の移転要求に限定した接続リクエストを含む発呼が行われる（ステップＳ９０５）。これにより、無線端末装置は、アイドルモード（Idle Mode）を抜けて、接続モード（Connected Mode）となり、通話が可能な状態となる。
【００４９】
なお、その発呼操作により入力された番号が、ＵＳＩＭ情報要求呼番号と一致しない場合には（ステップＳ９０４）、有効なＵＳＩＭ情報が保持されていないため、発信することができない旨が表示される（ステップＳ９０６）。
【００５０】
［無線端末装置管理データベースの構成例］
図４は、本発明の第１の実施の形態における無線端末装置管理データベース２２０を模式的に示す図である。
【００５１】
無線端末装置管理データベース２２０は、第１の無線端末装置３００および第２の無線端末装置４００のそれぞれに保持されるＵＳＩＭ情報を管理するデータベースである。具体的には、無線端末装置管理データベース２２０には、電話番号２２１と、電子メールアドレス２２２と、端末識別情報２２３と、有効無効情報２２４とが関連付けられて記録されている。これらの情報は、例えば、第１の無線端末装置３００または第２の無線端末装置４００を用いたユーザ１０による操作入力に基づいて無線端末装置管理データベース２２０に記録される。また、無線接続サービスを提供する無線事業者が、ユーザ１０との契約内容に基づいて無線端末装置管理データベース２２０に記録するようにしてもよい。
【００５２】
電話番号２２１には、無線端末装置の電話番号が格納される。電子メールアドレス２２２には、無線端末装置の電子メールアドレスが格納される。なお、無線端末装置の電話番号および電子メールアドレスは、無線端末装置を識別するための識別情報であり、ＵＳＩＭ情報（ＵＳＩＭ情報の使用権）の移転要求を行う場合に用いられる。
【００５３】
端末識別情報２２３には、無線端末装置の端末識別番号が格納される。この端末識別情報は、無線端末装置を識別するための識別情報であり、例えば、ＩＭＥＩ（International Mobile Equipment Identity）が格納される。また、図４では、端末識別情報２２３の「ＩＭＥ＃１」が第１の無線端末装置３００に対応し、端末識別情報２２３の「ＩＭＥ＃２」が第２の無線端末装置４００に対応するものとする。
【００５４】
有効無効情報２２４には、無線端末装置に保持されているＵＳＩＭ情報が有効であるか、無効であるかを示す情報が格納される。なお、図４では、説明の容易のため、ＵＳＩＭ情報が有効である無線端末装置には「有効」を示し、ＵＳＩＭ情報が無効である無線端末装置には「無効」を示す。また、ＵＳＩＭ情報が有効である無線端末装置に関する各情報を太線の矩形２２５で囲んで示す。
【００５５】
［無線端末装置の構成例］
図５は、本発明の第１の実施の形態における第１の無線端末装置３００の内部構成例を示すブロック図である。なお、第２の無線端末装置４００の内部構成については、第１の無線端末装置３００と同様であるため、ここでの説明を省略する。
【００５６】
第１の無線端末装置３００は、アンテナ３１１と、アンテナ共用部３１２と、変調部３２１と、復調部３２２と、制御部３３０と、メモリ３４０と、ＵＳＩＭ情報記憶部３５０とを備える。また、第１の無線端末装置３００は、操作部３６０と、表示部３７０と、位置情報取得部３８０と、マイクロフォン３９１と、スピーカ３９２とを備える。第１の無線端末装置３００は、例えば、通話およびデータ通信が可能な携帯電話装置により実現される。
【００５７】
例えば、受信処理が行われる場合には、アンテナ３１１により受信された電波が、アンテナ共用部３１２を経由して復調部３２２により復調され、この復調された受信データが制御部３３０に供給される。その受信処理が受話処理である場合には、その復調された受信データ（音声データ）が制御部３３０を経由してスピーカ３９２から音声として出力される。なお、アンテナ３１１、アンテナ共用部３１２、復調部３２２は、特許請求の範囲に記載の受信部の一例である。
【００５８】
また、例えば、送信処理が行われる場合には、制御部３３０により出力された送信データが変調部３２１により変調され、変調された送信データがアンテナ共用部３１２を経由してアンテナ３１１から送信される。その送信処理が送話処理である場合には、マイクロフォン３９１から入力された音声データが制御部３３０を経由して変調部３２１により変調され、変調された送信データ（音声データ）がアンテナ共用部３１２を経由してアンテナ３１１から送信される。
【００５９】
制御部３３０は、メモリ３４０に格納されている制御プログラムに基づいて各種の制御を行うものである。制御部３３０は、例えば、マイクロプロセッサにより構成される。例えば、制御部３３０は、変調部３２１および復調部３２２と接続され、基地局２３０、２４０を介して接続されるネットワーク制御装置２００との間で行われる各種データの送受信を行う。なお、制御部３３０は、特許請求の範囲に記載の送信制御部および制御部の一例である。
【００６０】
メモリ３４０は、制御部３３０が各種制御を行うための制御プログラム、送信データ、受信データ等を格納するメモリである。メモリ３４０は、例えば、ＲＯＭ（Read Only Memory）やＲＡＭ（Random Access Memory）により構成される。
【００６１】
ＵＳＩＭ情報記憶部３５０は、ＵＳＩＭ情報（契約認証情報）を保持するメモリである。ＵＳＩＭ情報記憶部３５０として、例えば、ＵＩＣＣ（Universal Integrated Circuit）カードを用いるようにしてもよく、ＵＳＩＭ情報をセキュアに保つための専用メモリを用いるようにしてもよい。なお、ＵＳＩＭ情報記憶部３５０としてＵＩＣＣカードを用いる場合には、ＵＳＩＭ情報が固定的に書き込まれているものではなく、ＵＳＩＭ情報の有効化処理および無効化処理が可能なものを用いる。すなわち、アンテナ３１１から受信して復調された移転情報に基づいて制御部３３０がＵＳＩＭ情報の有効化処理および無効化処理が可能なものを用いる。また、ＵＳＩＭ情報の書換処理が可能なものを用いる。なお、ＵＳＩＭ情報の有効化処理および無効化処理については、３ＧＰＰ（Third Generation Partnership Project）に規定されている有効化処理および無効化処理により行うことができる。これらの各処理は、例えば、携帯電話装置の販売ショップで行われている。なお、ＵＳＩＭ情報記憶部３５０は、特許請求の範囲に記載の保持部の一例である。
【００６２】
ここで、制御部３３０は、無線接続サービスを提供する無線事業者に係るＵＳＩＭ情報の使用権の移転を要求する移転要求を指示するユーザによる指示操作（所定操作）が操作部３６０により受け付けられた場合には、移転要求を無線回線を介して送信させる。この移転要求は、第２の無線端末装置４００のＵＳＩＭ情報記憶部３５０に保持されているＵＳＩＭ情報の使用権の移転を要求する移転要求である。また、制御部３３０は、例えば、ＵＳＩＭ情報を用いずに限定的な接続のみを行うための限定接続によりその移転要求を無線回線を介して送信させる。ここで、ＵＳＩＭ情報の使用権は、ＵＳＩＭ情報を使用する権利である。例えば、ＵＳＩＭ情報の有効化処理および無効化処理により、ＵＳＩＭ情報の使用権の移転を行うことができる。また、ＵＳＩＭ情報の転送処理により、ＵＳＩＭ情報の使用権の移転を行うことができる。
【００６３】
また、制御部３３０は、その移転要求に応じて無線回線を介して送信される移転情報（ＵＳＩＭ情報の使用権を移転させるための情報）を受信すると、この受信された移転情報に基づいて有効なＵＳＩＭ情報を設定する。この移転情報は、例えば、無線端末装置管理データベース２２０の管理内容に基づいて認証制御部２１０が送信する。
【００６４】
また、例えば、ＵＳＩＭ情報の有効化処理および無効化処理により、ＵＳＩＭ情報の使用権の移転を行う場合には、ＵＳＩＭ情報記憶部３５０に保持されているＵＳＩＭ情報を有効とするための有効化情報が移転情報に含まれる。そして、制御部３３０は、その受信された移転情報に含まれる有効化情報に基づいてＵＳＩＭ情報記憶部３５０に保持されているＵＳＩＭ情報を有効とすることにより、有効なＵＳＩＭ情報を設定する。
【００６５】
また、ネットワーク制御装置２００は、移転要求に応じて移転情報を第１の無線端末装置３００に送信することによりＵＳＩＭ情報記憶部３５０に保持されているＵＳＩＭ情報を有効とする制御を行う。また、ネットワーク制御装置２００は、第２の無線端末装置４００のＵＳＩＭ情報記憶部３５０に保持されているＵＳＩＭ情報を無効とする制御を行う。
【００６６】
また、例えば、ＵＳＩＭ情報の転送処理により、ＵＳＩＭ情報の使用権の移転を行う場合には、第２の無線端末装置４００のＵＳＩＭ情報記憶部３５０に保持されていたＵＳＩＭ情報が移転情報に含まれる。この移転を行う場合には、制御部３３０は、移転要求を第２の無線端末装置４００に送信する。この移転要求の送信後に、第２の無線端末装置４００に保持されているＵＳＩＭ情報が無効とされ、第２の無線端末装置４００またはネットワーク制御装置２００から移転情報が送信される。そして、制御部３３０は、その受信された移転情報に含まれるＵＳＩＭ情報をＵＳＩＭ情報記憶部３５０に記録させることにより、有効なＵＳＩＭ情報を設定する。
【００６７】
また、第１の無線端末装置３００が移転要求先である場合には、制御部３３０は、移転要求が受信された場合に移転情報を無線回線を介して移転要求元に送信させる。この場合に、制御部３３０は、その移転要求が受信された場合には、ＵＳＩＭ情報記憶部３５０に保持されているＵＳＩＭ情報の使用権の移転をユーザに確認させるための確認画面（例えば、図７に示す表示画面５２０、５３０）を表示部３７０に表示させる。また、制御部３３０は、その確認画面が表示された後に、ＵＳＩＭ情報記憶部３５０に保持されているＵＳＩＭ情報の使用権の移転を許可する操作入力が操作部３６０により受け付けられた場合には、移転情報を無線回線を介して送信させる。
【００６８】
操作部３６０は、ユーザにより操作された操作入力を受け付ける操作受付部であり、受け付けられた操作入力に応じた信号を制御部３３０に出力する。操作部３６０は、例えば、数字キーやアルファベットキー等の各種キーを備え、無線接続サービスを提供する無線事業者に係るＵＳＩＭ情報の使用権の移転を要求する移転要求を指示するユーザによる指示操作（所定操作）を受け付ける。
【００６９】
表示部３７０は、制御部３３０の制御に基づいて、各種情報（文字情報や時刻情報等）を表示する表示部である。表示部３７０は、例えば、ＵＳＩＭ情報の使用権の移転処理に関する各情報（例えば、図６および図７に示す表示画面）を表示する。なお、表示部３７０として、例えば、有機ＥＬ（Electro Luminescence）パネル、ＬＣＤ（Liquid Crystal Display）パネル等の表示パネルを用いることができる。なお、操作部３６０および表示部３７０については、使用者がその指を表示面に接触または近接することにより操作入力を行うことが可能なタッチパネルを用いて一体で構成することができる。
【００７０】
位置情報取得部３８０は、第１の無線端末装置３００が存在する位置を示す位置情報を取得するものであり、この取得された位置情報を制御部３３０に出力する。位置情報取得部３８０は、例えば、ＧＰＳ（Global Positioning System）信号受信アンテナ（図示せず）により受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。
【００７１】
［各装置間における通信例］
図６および図７は、本発明の第１の実施の形態における第１の無線端末装置３００および第２の無線端末装置４００に表示される表示画面例を示す図である。これらの表示画面については、図８に示すシーケンスチャートを参照して詳細に説明する。
【００７２】
図８は、本発明の第１の実施の形態における通信システム１００を構成する各装置間における通信処理を示すシーケンスチャートである。
【００７３】
図８では、第１の無線端末装置３００および第２の無線端末装置４００の何れもがＵＳＩＭ情報を保持して、ネットワーク制御装置２００の認証制御部２１０による有効無効制御により、ＵＳＩＭ情報の使用権を移転する例を示す。また、図８では、第２の無線端末装置４００が有効なＵＳＩＭ情報を保持している場合において、第１の無線端末装置３００が第２の無線端末装置４００に移転要求を行う場合における通信処理を例にして説明する。
【００７４】
最初に、ＵＳＩＭ情報移転操作（ＵＳＩＭ情報の使用権の移転要求操作）を行うための表示画面が第１の無線端末装置３００の表示部３７０に表示される。
【００７５】
図６（ａ）には、ＵＳＩＭ情報移転操作を行うための表示画面の一例（表示画面５００）を示す。表示画面５００は、第１の無線端末装置３００に実行させる機能を選択するための表示画面である。具体的には、表示画面５００には、電話ボタン５０１と、カメラボタン５０２と、電子メールボタン５０３と、ＵＳＩＭ情報の移転ボタン５０４と、確定ボタン５０５と、戻るボタン５０６とが設けられている。
【００７６】
電話ボタン５０１は、通話機能を使用する際に押下されるボタンであり、カメラボタン５０２は、カメラ機能を使用する際に押下されるボタンであり、電子メールボタン５０３は、電子メール機能を使用する際に押下されるボタンである。
【００７７】
ＵＳＩＭ情報の移転ボタン５０４は、他の無線端末装置に保持されている有効なＵＳＩＭ情報の使用権を移転させる際に押下されるボタンである。なお、ＵＳＩＭ情報の移転ボタン５０４は、ＵＳＩＭ情報記憶部３５０に有効なＵＳＩＭ情報が保持されている場合には、表示されないものとする。
【００７８】
確定ボタン５０５は、電話ボタン５０１、カメラボタン５０２、電子メールボタン５０３およびＵＳＩＭ情報の移転ボタン５０４の何れかを選択する押下操作がされた後に、その選択を確定する際に押下されるボタンである。
【００７９】
戻るボタン５０６は、例えば、直前に表示されていた表示画面に戻る場合に押下されるボタンである。なお、図６（ｂ）および図７（ｂ）に示す戻るボタン５１４および５３３についても同様である。
【００８０】
ここで、図６（ａ）に示す表示画面５００において、ＵＳＩＭ情報の移転ボタン５０４が押下された後に、確定ボタン５０５が押下されたものとする（４０１）。このようにＵＳＩＭ情報移転操作が受け付けられた場合には（４０１）、端末識別情報を入力するための表示画面が第１の無線端末装置３００の表示部３７０に表示される。
【００８１】
図６（ｂ）には、端末識別情報を入力するための表示画面（表示画面５１０）の一例を示す。表示画面５１０は、ＵＳＩＭ情報の使用権を移転させる移転元の無線端末装置を特定するための端末識別情報を入力するための表示画面である。具体的には、表示画面５１０には、電話番号入力欄５１１と、電子メールアドレス入力欄５１２と、確定ボタン５１３と、戻るボタン５１４とが設けられている。
【００８２】
電話番号入力欄５１１は、ＵＳＩＭ情報の使用権を移転させる移転元の無線端末装置の端末識別情報として、移転元の無線端末装置の電話番号を入力するための領域である。
【００８３】
電子メールアドレス入力欄５１２は、ＵＳＩＭ情報の使用権を移転させる移転元の無線端末装置の端末識別情報として、移転元の無線端末装置の電子メールアドレスを入力するための領域である。この例では、移転元の無線端末装置の電話番号および電子メールアドレスの何れかを入力して、その移転元の無線端末装置を特定する例を示す。また、電話番号入力欄５１１および電子メールアドレス入力欄５１２への入力は、操作部３６０における操作入力により行われる。
【００８４】
確定ボタン５１３は、電話番号入力欄５１１または電子メールアドレス入力欄５１２への入力操作が行われた後に、その入力を確定する際に押下されるボタンである。
【００８５】
ここで、図６（ｂ）に示す表示画面５１０において、電話番号入力欄５１１への入力操作（０９０−２２２２−○○○○）が行われた後に、確定ボタン５１３が押下されたものとする（４０２）。このようにＵＳＩＭ情報の使用権を移転させる移転元（移転要求先）の無線端末装置の端末識別情報が入力される（４０２）。この場合には、この入力された端末識別情報を含むＵＳＩＭ情報移転要求が第１の無線端末装置３００からネットワーク制御装置２００の認証制御部２１０に送信される（４０３、４０４）。なお、このＵＳＩＭ情報移転要求には、移転要求先（移転元）の端末識別情報とともに移転要求元（移転先）の端末識別情報が含まれる。また、このＵＳＩＭ情報移転要求は、上述した限定接続により、第１の無線端末装置３００からネットワーク制御装置２００の認証制御部２１０に送信される。
【００８６】
ＵＳＩＭ情報移転要求を認証制御部２１０が受信すると（４０４）、無線端末装置管理データベース２２０の内容を確認した後に、受信したＵＳＩＭ情報移転要求に含まれる端末識別情報により特定される無線端末装置にＵＳＩＭ情報移転要求を送信する（４０５）。この例では、端末識別情報（０９０−２２２２−○○○○）に対応する第２の無線端末装置４００にＵＳＩＭ情報移転要求が送信される（４０５）。ここで、ＵＳＩＭ情報移転要求が受信された場合には、認証制御部２１０は、例えば、そのＵＳＩＭ情報移転要求に含まれる端末識別情報により特定される無線端末装置が有効なＵＳＩＭ情報を保持しているかを無線端末装置管理データベース２２０を用いて確認する。また、認証制御部２１０は、移転元（第２の無線端末装置４００）に表示させる移転先（第１の無線端末装置３００）に関する各情報（電話番号、電子メールアドレス等）を無線端末装置管理データベース２２０から取得する。そして、認証制御部２１０は、その取得された移転先（第１の無線端末装置３００）に関する各情報を含めたＵＳＩＭ情報移転要求を送信する（４０５）。
【００８７】
第２の無線端末装置４００がＵＳＩＭ情報移転要求を送信すると（４０６）、ＵＳＩＭ情報の使用権の移転をユーザに確認させるための表示画面が第２の無線端末装置４００の表示部３７０に表示される（４０７）。
【００８８】
図７（ａ）には、ＵＳＩＭ情報の使用権の移転をユーザに確認させるための表示画面（表示画面５２０）の一例を示す。表示画面５２０は、ＵＳＩＭ情報の使用権を移転させる移転先の無線端末装置を特定するための情報を表示してＵＳＩＭ情報移転をユーザが確認するための表示画面である。具体的には、表示画面５２０には、電話番号表示欄５２１と、電子メールアドレス表示欄５２２と、ＯＫボタン５２３と、ＮＧボタン５２４とが設けられている。
【００８９】
電話番号表示欄５２１は、ＵＳＩＭ情報の使用権を移転させる移転先の無線端末装置の端末識別情報として、移転先の無線端末装置の電話番号を表示する領域である。
【００９０】
電子メールアドレス表示欄５２２は、ＵＳＩＭ情報の使用権を移転させる移転先の無線端末装置の端末識別情報として、移転先の無線端末装置の電子メールアドレスを表示する領域である。
【００９１】
この例では、移転先の無線端末装置の電話番号および電子メールアドレスを同時に表示して、その移転先の無線端末装置をユーザに通知する例を示す。なお、認証制御部２１０から送信されるＵＳＩＭ情報移転要求に含まれる他の情報（例えば、所有者の氏名）を表示画面５２０に表示させるようにしてもよい。また、例えば、第２の無線端末装置４００に保持されている登録情報（例えば、電話帳）に基づいて、その移転先の無線端末装置に関する他の情報（例えば、所有者の氏名）を、電話番号および電子メールアドレスとともに表示させるようにしてもよい。
【００９２】
ＯＫボタン５２３は、電話番号表示欄５２１および電子メールアドレス表示欄５２２に端末識別情報が表示されている無線端末装置にＵＳＩＭ情報の使用権を移転させることをユーザが確認した後に押下されるボタンである。
【００９３】
ＮＧボタン５２４は、電話番号表示欄５２１および電子メールアドレス表示欄５２２に端末識別情報が表示されている無線端末装置にＵＳＩＭ情報の使用権を移転させることをユーザが了承しない場合に押下されるボタンである。
【００９４】
ここで、図７（ａ）に示す表示画面５２０において、ＯＫボタン５２３が押下されたものとする（４０７）。このようにＵＳＩＭ情報の使用権の移転確認後にＯＫボタン５２３が押下された場合には（４０７）、ＵＳＩＭ情報の使用権を移転する際に用いられるパスワードを入力するための表示画面が第２の無線端末装置４００の表示部３７０に表示される（４０８）。
【００９５】
図７（ｂ）には、パスワードを入力するための表示画面（表示画面５３０）の一例を示す。表示画面５３０は、ＵＳＩＭ情報の使用権を移転する際に用いられるパスワードを入力するための表示画面である。具体的には、表示画面５３０には、パスワード入力欄５３１と、確定ボタン５３２と、戻るボタン５３３とが設けられている。
【００９６】
パスワード入力欄５３１は、ＵＳＩＭ情報の使用権を移転する際に用いられるパスワードを入力するための領域である。
【００９７】
確定ボタン５３２は、パスワード入力欄５３１への入力操作が行われた後に、その入力を確定する際に押下されるボタンである。
【００９８】
ここで、図７（ｂ）に示す表示画面５３０において、例えば、パスワード「１２３ａｂｃ（実際の画面ではセキュリティの観点から非表示となるため、図７（ｂ）では「＊＊＊＊＊＊」と示す）」が入力されたものとする（４０８）。このようにパスワードが入力された場合には（４０８）、第２の無線端末装置４００の制御部３３０が、入力されたパスワードの認証処理を行う（４０９）。そして、入力されたパスワードが認証された場合には（４０９）、ＵＳＩＭ情報の使用権の移転を許可するＵＳＩＭ情報移転許可（移転情報）が、第２の無線端末装置４００からネットワーク制御装置２００の認証制御部２１０に送信される（４１０、４１１）。なお、入力されたパスワードが認証されない場合には（４０９）、正しいパスワードの入力を促す表示画面が表示される。
【００９９】
続いて、ＵＳＩＭ情報移転許可を認証制御部２１０が受信すると（４１１）、ＵＳＩＭ情報移転許可を送信した無線端末装置のＵＳＩＭ情報を無効化するためのＵＳＩＭ情報無効化情報を第２の無線端末装置４００に送信する（４１２、４１３）。ＵＳＩＭ情報無効化情報を第２の無線端末装置４００が受信すると（４１３）、第２の無線端末装置４００のＵＳＩＭ情報記憶部３５０に記憶されているＵＳＩＭ情報の無効化処理が行われる（４１４）。これにより、第２の無線端末装置４００に保持されているＵＳＩＭ情報が無効化され、第２の無線端末装置４００ではＵＳＩＭ情報を使用することができなくなる。
【０１００】
ＵＳＩＭ情報の無効化処理が終了した後に（４１４）、ＵＳＩＭ情報の無効化処理が終了した旨を示すＵＳＩＭ情報無効化確認情報が、第２の無線端末装置４００からネットワーク制御装置２００の認証制御部２１０に送信される（４１５、４１６）。
【０１０１】
認証制御部２１０が、ＵＳＩＭ情報無効化確認情報を受信すると（４１６）、ＵＳＩＭ情報移転要求を送信した無線端末装置のＵＳＩＭ情報を有効とするためのＵＳＩＭ情報有効化情報を第１の無線端末装置３００に送信する（４１７、４１８）。ＵＳＩＭ情報有効化情報（移転情報）を第１の無線端末装置３００が受信すると（４１８）、第１の無線端末装置３００のＵＳＩＭ情報記憶部３５０に記憶されているＵＳＩＭ情報の有効化処理が行われる（４１９）。これにより、第１の無線端末装置３００に保持されているＵＳＩＭ情報が有効とされ、第１の無線端末装置３００ではＵＳＩＭ情報を使用することができるようになる。
【０１０２】
ＵＳＩＭ情報の有効化処理が終了した後に（４１９）、ＵＳＩＭ情報の有効化処理が終了した旨を示すＵＳＩＭ情報有効化確認情報が、第１の無線端末装置３００からネットワーク制御装置２００の認証制御部２１０に送信される（４２０、４２１）。ＵＳＩＭ情報有効化確認情報を認証制御部２１０が受信すると（４２１）、無線端末装置管理データベース２２０の内容を書き換える。すなわち、第１の無線端末装置３００を有効とし、第２の無線端末装置４００を無効とするように、無線端末装置管理データベース２２０の内容が書き換えられる。
【０１０３】
続いて、ＵＳＩＭ情報の移転処理が終了した旨を示すＵＳＩＭ情報移転終了情報が、ネットワーク制御装置２００の認証制御部２１０から第２の無線端末装置４００に送信される（４２２、４２３）。同様に、ＵＳＩＭ情報移転終了情報が、ネットワーク制御装置２００の認証制御部２１０から第１の無線端末装置３００に送信される（４２４、４２５）。
【０１０４】
なお、この例では、有効化／無効化を行うことにより、ＵＳＩＭ情報の使用権を移転する例を示したが、ＵＳＩＭ情報そのものを転送することにより、ＵＳＩＭ情報の使用権を移転するようにしてもよい。この場合には、ＵＳＩＭ情報移転要求が第２の無線端末装置４００に送信されると、第２の無線端末装置４００に保持されているＵＳＩＭ情報が無効（消去）とされ、第２の無線端末装置４００またはネットワーク制御装置２００から移転情報が送信される。この移転情報に含まれるＵＳＩＭ情報をＵＳＩＭ情報記憶部３５０に記録させることにより、有効なＵＳＩＭ情報が設定される。
【０１０５】
［通信システムの動作例］
次に、本発明の第１の実施の形態における通信システム１００の動作について図面を参照して説明する。
【０１０６】
［無線端末装置（ＵＳＩＭ情報の使用権の移転先）の動作例］
図９は、本発明の第１の実施の形態における第１の無線端末装置３００による通信処理の処理手順の一例を示すフローチャートである。図９では、第１の無線端末装置３００が、ＵＳＩＭ情報の使用権の移転先である場合を例にして説明する。また、図９では、第１の無線端末装置３００および第２の無線端末装置４００の何れもがＵＳＩＭ情報を保持して、ネットワーク制御装置２００の認証制御部２１０による有効無効制御により、ＵＳＩＭ情報の使用権を移転する例を示す。
【０１０７】
最初に、制御部３３０が、ＵＳＩＭ情報移転操作が行われたか否かを判断し（ステップＳ９１１）、ＵＳＩＭ情報移転操作が行われていない場合には、監視を継続して行う。
【０１０８】
ＵＳＩＭ情報移転操作が行われた場合には（ステップＳ９１１）、制御部３３０が、ＵＳＩＭ情報の使用権を移転させる移転元（移転要求先）の無線端末装置の端末識別情報を入力するための表示画面を表示部３７０に表示させる（ステップＳ９１２）。続いて、制御部３３０が、その表示画面において、移転要求先の無線端末装置の端末識別情報が入力されたか否かを判断し（ステップＳ９１３）、その入力操作が行われていない場合には、監視を継続して行う。
【０１０９】
移転要求先の無線端末装置の端末識別情報が入力された場合には（ステップＳ９１３）、制御部３３０が、その入力された端末識別情報を含むＵＳＩＭ情報移転要求をネットワーク制御装置２００の認証制御部２１０に送信する（ステップＳ９１４）。このＵＳＩＭ情報移転要求は、上述した限定接続により行われる。なお、ステップＳ９１１乃至Ｓ９１４は、特許請求の範囲に記載の送信制御手順の一例である。
【０１１０】
続いて、制御部３３０が、ＵＳＩＭ情報記憶部３５０に記憶されているＵＳＩＭ情報を有効とするためのＵＳＩＭ情報有効化情報を受信したか否かを判断する（ステップＳ９１５）。ＵＳＩＭ情報有効化情報を受信していない場合には（ステップＳ９１５）、制御部３３０が、ＵＳＩＭ情報移転要求を送信してから一定時間が経過したか否かを判断する（ステップＳ９１６）。ＵＳＩＭ情報移転要求を送信してから一定時間が経過していない場合には（ステップＳ９１６）、ステップＳ９１５に戻る。一方、ＵＳＩＭ情報移転要求を送信してから一定時間が経過した場合には（ステップＳ９１６）、制御部３３０が、ＵＳＩＭ情報の使用権の移転ができない旨を通知するための移転不可情報を表示部３７０に表示させ（ステップＳ９１７）、通信処理の動作を終了する。
【０１１１】
また、ＵＳＩＭ情報有効化情報を受信した場合には（ステップＳ９１５）、制御部３３０が、ＵＳＩＭ情報記憶部３５０に記憶されているＵＳＩＭ情報の有効化処理を行う（ステップＳ９１８）。これにより、ＵＳＩＭ情報記憶部３５０に記憶されているＵＳＩＭ情報が有効とされ、第１の無線端末装置３００ではＵＳＩＭ情報を使用することができるようになる。なお、ステップＳ９１５は、特許請求の範囲に記載の受信手順の一例である。また、ステップＳ９１８は、特許請求の範囲に記載の制御手順の一例である。
【０１１２】
続いて、制御部３３０が、ＵＳＩＭ情報の有効化処理が終了した旨を示すＵＳＩＭ情報有効化確認情報をネットワーク制御装置２００の認証制御部２１０に送信する（ステップＳ９１９）。続いて、制御部３３０が、ＵＳＩＭ情報の移転処理が終了した旨を示すＵＳＩＭ情報移転終了情報を受信したか否かを判断し（ステップＳ９２０）、ＵＳＩＭ情報移転終了情報を受信していない場合には、監視を継続して行う。ＵＳＩＭ情報移転終了情報を受信した場合には（ステップＳ９２０）、通信処理の動作を終了する。
【０１１３】
［無線端末装置（ＵＳＩＭ情報の使用権の移転元）の動作例］
図１０は、本発明の第１の実施の形態における第２の無線端末装置４００による通信処理の処理手順の一例を示すフローチャートである。図１０では、第２の無線端末装置４００が、ＵＳＩＭ情報の使用権の移転元である場合を例にして説明する。また、図１０では、第１の無線端末装置３００および第２の無線端末装置４００の何れもがＵＳＩＭ情報を保持して、ネットワーク制御装置２００の認証制御部２１０による有効無効制御により、ＵＳＩＭ情報の使用権を移転する例を示す。
【０１１４】
最初に、制御部３３０が、ＵＳＩＭ情報移転要求を受信したか否かを判断し（ステップＳ９３１）、ＵＳＩＭ情報移転要求を受信していない場合には、監視を継続して行う。
【０１１５】
ＵＳＩＭ情報移転要求を受信した場合には（ステップＳ９３１）、制御部３３０が、ＵＳＩＭ情報の使用権の移転をユーザに確認させるための表示画面を表示部３７０に表示させる（ステップＳ９３２）。また、この表示画面による移転確認後に、制御部３３０が、ＵＳＩＭ情報の使用権を移転する際に用いられるパスワードを入力するための表示画面（パスワード入力画面）を表示部３７０に表示させる（ステップＳ９３２）。
【０１１６】
続いて、制御部３３０が、パスワード入力画面において、パスワードの入力操作が行われたか否かを判断する（ステップＳ９３３）。パスワードの入力操作が行われていない場合には（ステップＳ９３３）、制御部３３０が、パスワード入力画面が表示されてから一定時間が経過したか否かを判断する（ステップＳ９３４）。パスワード入力画面が表示されてから一定時間が経過していない場合には（ステップＳ９３４）、ステップＳ９３３に戻る。一方、パスワード入力画面の表示から一定時間が経過した場合には（ステップＳ９３４）、制御部３３０が、ＵＳＩＭ情報の使用権の移転ができない旨を通知するための移転不許可情報を認証制御部２１０に送信し（ステップＳ９３５）、通信処理の動作を終了する。
【０１１７】
また、パスワードの入力操作が行われた場合には（ステップＳ９３３）、制御部３３０が、入力されたパスワードが、登録されているパスワードと一致するか否かを判断する（ステップＳ９３６）。すなわち、パスワードの認証処理が行われる。入力されたパスワードが、登録されているパスワードと一致しない場合には（ステップＳ９３６）、ステップＳ９３２に戻り、制御部３３０が、正しいパスワードの入力を促す表示画面を表示部３７０に表示させる。
【０１１８】
また、入力されたパスワードが、登録されているパスワードと一致する場合には（ステップＳ９３６）、制御部３３０が、ＵＳＩＭ情報の使用権の移転を許可するＵＳＩＭ情報移転許可を認証制御部２１０に送信する（ステップＳ９３７）。
【０１１９】
続いて、制御部３３０が、ＵＳＩＭ情報記憶部３５０に記憶されているＵＳＩＭ情報を無効とするためのＵＳＩＭ情報無効化情報を受信したか否かを判断し（ステップＳ９３８）、ＵＳＩＭ情報無効化情報を受信していない場合には、監視を継続して行う。一方、ＵＳＩＭ情報無効化情報を受信した場合には（ステップＳ９３８）、制御部３３０が、ＵＳＩＭ情報記憶部３５０に記憶されているＵＳＩＭ情報の無効化処理を行う（ステップＳ９３９）。これにより、ＵＳＩＭ情報記憶部３５０に記憶されているＵＳＩＭ情報が無効とされ、第２の無線端末装置４００ではＵＳＩＭ情報を使用することができなくなる。
【０１２０】
続いて、制御部３３０が、ＵＳＩＭ情報の無効化処理が終了した旨を示すＵＳＩＭ情報無効化確認情報をネットワーク制御装置２００の認証制御部２１０に送信する（ステップＳ９４０）。続いて、制御部３３０が、ＵＳＩＭ情報の移転処理が終了した旨を示すＵＳＩＭ情報移転終了情報を受信したか否かを判断し（ステップＳ９４１）、ＵＳＩＭ情報移転終了情報を受信していない場合には、監視を継続して行う。ＵＳＩＭ情報移転終了情報を受信した場合には（ステップＳ９４１）、通信処理の動作を終了する。
【０１２１】
［無線端末装置管理データベースの構成例］
以上では、２つの無線端末装置間においてＵＳＩＭ情報の使用権の移転を行う例を示した。ただし、３以上の無線端末装置間においてＵＳＩＭ情報の使用権の移転を行う場合についても、本発明の第１の実施の形態を適用することができる。また、３以上の無線端末装置間においてＵＳＩＭ情報の使用権の移転を行う場合における無線端末装置管理データベース２２０の内容例を図１１に示す。
【０１２２】
図１１は、本発明の第１の実施の形態における無線端末装置管理データベース２２０を模式的に示す図である。
【０１２３】
なお、図１１に示す無線端末装置管理データベース２２０は、管理対象となる無線端末装置の数が３以上である点が異なるが、それ以外は、図４と略同様である。
【０１２４】
例えば、１人のユーザがＭ個（Ｍ≧３）の無線端末装置を所有している場合において、このＭ個の無線端末装置のうちの１個の無線端末装置のＵＳＩＭ情報のみを有効として、他の無線端末装置のＵＳＩＭ情報を無効とすることができる。この場合には、図１１に示す無線端末装置管理データベース２２０の有効無効情報２２４のうち、１つの欄に「有効」が格納され、他の欄には「無効」が格納される。
【０１２５】
また、例えば、１人のユーザがＭ個（Ｍ≧３）の無線端末装置を所有している場合において、このＭ個の無線端末装置のうちのＮ個（１＜Ｎ＜Ｍ）の無線端末装置のＵＳＩＭ情報を有効として、他の無線端末装置のＵＳＩＭ情報を無効とすることができる。この場合には、図１１に示す無線端末装置管理データベース２２０の有効無効情報２２４のうち、Ｎ個の欄に「有効」が格納され、他の欄には「無効」が格納される。
【０１２６】
また、本発明の第１の実施の形態では、１人のユーザが複数の無線端末装置を所有している場合において、これらの無線端末装置間においてＵＳＩＭ情報の使用権を移転する例を示した。ただし、複数のユーザのそれぞれが所有する無線端末装置（複数の無線端末装置）について、これらの無線端末装置間においてＵＳＩＭ情報の使用権を移転する場合についても、本発明の第１の実施の形態を適用することができる。例えば、１人のユーザが１個の無線端末装置を所有しているグループ（例えば、５人グループ）を想定する。この場合に、グループを構成する５人のうちの２人の無線端末装置のＵＳＩＭ情報のみを有効として、他の３人の無線端末装置のＵＳＩＭ情報を無効とすることができる。この場合には、図１１に示す無線端末装置管理データベース２２０において、グループ登録をしておき、グループ登録がされているメンバー間において移転処理を行うことができる。このようにメンバー間において移転処理を行う場合には、そのメンバー間において移転が可能なＵＳＩＭ情報の数だけ、無線事業者との契約を行う必要がある。
【０１２７】
以上で示したように、本発明の第１の実施の形態では、簡単なユーザ操作のみで複数の無線端末装置間における有効なＵＳＩＭ情報（契約認証情報）の移転処理を容易に行うことができる。このため、例えば、個人で複数の無線端末装置を所有する場合でも、複数の無線接続サービスを契約しなくても、複数の無線端末装置を容易に利用することができる。また、複数の無線端末装置を利用する場合でも、無線端末装置間においてＵＩＣＣカードを付け替える必要がない。これらにより、複数の無線端末装置間においてＵＳＩＭ情報（契約認証情報）を容易に共有することができる。
【０１２８】
＜２．第２の実施の形態＞
本発明の第１の実施の形態では、ユーザが操作可能な状態である複数の無線端末装置間においてＵＳＩＭ情報の使用権を移転する例を示した。ただし、図１（ｂ）に示すように、有効なＵＳＩＭ情報を保持する無線端末装置（第２の無線端末装置４００）をユーザが操作できない場合も想定される。そこで、本発明の第２の実施の形態では、有効なＵＳＩＭ情報を保持する無線端末装置をユーザが操作できない場合においてＵＳＩＭ情報の使用権を移転する例を示す。なお、本発明の第２の実施の形態における通信システムの構成については、図１等に示す例と略同様である。このため、本発明の第１の実施の形態と共通する部分については、同一の符号を付して、これらの説明の一部を省略する。
【０１２９】
［各装置間における通信例］
図１２は、本発明の第２の実施の形態における通信システム１００を構成する各装置間における通信処理を示すシーケンスチャートである。なお、図１２に示すシーケンスチャートは、図８の変形例であるため、図８と共通する部分については、同一の符号を付して、これらの説明の一部を省略する。
【０１３０】
ＵＳＩＭ情報移転要求を受信すると（４０４）、認証制御部２１０は、無線端末装置管理データベース２２０の内容に基づいて、移転要求先（移転元）および移転要求元（移転先）の無線端末装置を確認する（４３０）。すなわち、認証制御部２１０は、受信したＵＳＩＭ情報移転要求に含まれる端末識別情報により特定される移転要求先（移転元）および移転要求元（移転先）の無線端末装置を確認する。
【０１３１】
続いて、その確認後に、認証制御部２１０は、移転要求先（移転元）のＵＳＩＭ情報を無効化するためのＵＳＩＭ情報無効化情報を移転要求先（移転元）（第２の無線端末装置４００）に送信する（４１２、４１３）。
【０１３２】
なお、この例では、第２の無線端末装置４００からＵＳＩＭ情報無効化確認情報を受信した場合に（４１６）、認証制御部２１０が、ＵＳＩＭ情報有効化情報を第１の無線端末装置３００に送信する（４１７）例を示す。しかしながら、移転要求先（移転元）の無線端末装置の電源がオフとなっている場合や移転要求先（移転元）の無線端末装置が圏外となっていることも想定される。そこで、例えば、移転要求先（移転元）の無線端末装置からＵＳＩＭ情報無効化確認情報を受信しない場合であっても、一定条件を満たす場合には、ＵＳＩＭ情報有効化情報を移転要求元（移転先）の無線端末装置に送信するようにしてもよい。一定条件としては、例えば、移転要求先（移転元）のユーザによりその旨の設定が予め行われている場合、かつ、一定時間経過しても移転要求先（移転元）からＵＳＩＭ情報無効化確認情報を受信しない場合とすることができる。
【０１３３】
ただし、移転要求先（移転元）からＵＳＩＭ情報無効化確認情報を受信しない場合に、ＵＳＩＭ情報有効化情報を移転要求元（移転先）に送信すると、移転要求元（移転先）および移転要求先（移転元）の何れのＵＳＩＭ情報も有効となる。この場合において、移転要求先（移転元）の無線通信端末の電源がオンとなったり、圏内となったりした場合には、移転要求先（移転元）の無線通信端末から基地局へのアクセスが許可されることになる。そこで、移転要求先（移転元）からＵＳＩＭ情報無効化確認情報を受信しない場合であって一定条件を満たす場合には、認証制御部２１０が、無線端末装置管理データベース２２０の内容を書き換える。すなわち、認証制御部２１０が、移転要求元（移転先）を有効とし、移転要求先（移転元）を無効とするように無線端末装置管理データベース２２０の内容を書き換える。また、認証制御部２１０が、各基地局に移転要求先（移転元）が無効である旨の情報（無効情報）を保持させる。この無効情報を各基地局に保持させておき、移転要求先（移転元）の無線通信端末から基地局にアクセスがあった場合には、ＵＳＩＭ情報無効化情報をその基地局から移転要求先（移転元）の無線通信端末に送信させるようにする。このように、無線端末装置管理データベース２２０の内容を書き換え、各基地局に無効情報を保持させた後に、認証制御部２１０が、ＵＳＩＭ情報有効化情報を移転要求元（移転先）に送信するようにする。
【０１３４】
例えば、図１２に示す例において、第２の無線端末装置４００からＵＳＩＭ情報無効化確認情報を受信しない場合であって一定条件を満たす場合には、認証制御部２１０が、無線端末装置管理データベース２２０の内容を書き換える。すなわち、認証制御部２１０が、第１の無線端末装置３００を有効とし、第２の無線端末装置４００を無効とするように無線端末装置管理データベース２２０の内容を書き換える。また、認証制御部２１０が、基地局２３０、２４０に第２の無線端末装置４００が無効である旨の情報（無効情報）を保持させる。この無効情報を基地局２３０、２４０に保持させておき、第２の無線端末装置４００から基地局２３０、２４０の何れかにアクセスがあった場合には、ＵＳＩＭ情報無効化情報をその基地局から第２の無線端末装置４００に送信させるようにする。このように、無線端末装置管理データベース２２０の内容を書き換え、基地局２３０、２４０に無効情報を保持させた後に、認証制御部２１０が、ＵＳＩＭ情報有効化情報を第１の無線端末装置３００に送信するようにする。
【０１３５】
以上で示したように、本発明の第２の実施の形態では、複数の無線端末装置間においてＵＳＩＭ情報（契約認証情報）を共有する場合に、ＵＳＩＭ情報（契約認証情報）を保持する無線端末装置を持ち歩かなくてもよい。例えば、無線携帯端末（例えば、携帯電話装置）を家に忘れたユーザでも、出先で無線携帯端末を借りて自分の無線携帯端末として使用することができる。これにより、複数の無線端末装置間においてＵＳＩＭ情報（契約認証情報）をさらに容易に共有することができる。
【０１３６】
なお、携帯電話装置以外の携帯型の無線端末装置（例えば、データ通信専用端末装置）や、固定型の無線端末装置（例えば、自動販売機のデータ収集を目的とする無線端末装置）に本発明の実施の形態を適用することができる。
【０１３７】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０１３８】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０１３９】
１０  ユーザ
２０  家
１００  通信システム
１１０  公衆回線網
１２０  移動体通信交換局
２００  ネットワーク制御装置
２１０  認証制御部
２２０  無線端末装置管理データベース
２３０、２４０  基地局
２５０、２６０  無線回線
３００  第１の無線端末装置
３１１  アンテナ
３１２  アンテナ共用部
３２１  変調部
３２２  復調部
３３０  制御部
３４０  メモリ
３５０  ＵＳＩＭ情報記憶部
３６０  操作部
３７０  表示部
３８０  位置情報取得部
３９１  マイクロフォン
３９２  スピーカ
４００  第２の無線端末装置
【図１】
2012105077.tif 000003
【図２】
2012105077.tif 000004
【図３】
2012105077.tif 000005
【図４】
2012105077.tif 000006
【図５】
2012105077.tif 000007
【図６】
2012105077.tif 000008
【図７】
2012105077.tif 000009
【図８】
2012105077.tif 000010
【図９】
2012105077.tif 000011
【図１０】
2012105077.tif 000012
【図１１】
2012105077.tif 000013
【図１２】
2012105077.tif 000014